(57)【要約】【課題】吐水時に吐水口から空気が出にくく、また止水中、電気温水器の沸き上げ時に膨張水を排水器具側へ良好に排水でき、さらに内部に溜まる水中の塩素を抜けにくくできる元止め式電気温水器用膨張水排水機構を提供する。【解決手段】給水バルブ２を備えた元止め式電気温水器４と水栓７を繋ぐ出湯管６にアスピレータ５を設け、このアスピレータ５から分岐した分岐管路８を排水器具９に接続し、水栓７には第１逆止弁７ｂを設け、分岐管路８側に、排水器具９側からの空気あるいは排水の侵入を防ぐ第２の逆止弁５５を設けて構成する。【選択図】図１
2008070008.tif 000002
【特許請求の範囲】
【請求項１】
元止め式電気温水器と水栓とを繋ぐ管路にアスピレータを設け、該アスピレータから分岐した分岐管路を排水管に接続した機構において、
前記分岐管路に前記排水管側からの空気あるいは排水の侵入を防ぐ逆止弁を設けたことを特徴とする元止め式電気温水器用膨張水排水機構。
【請求項２】
元止め式電気温水器と水栓とを繋ぐ管路にアスピレータを設け、該アスピレータから分岐した分岐管路を排水管に接続した機構において、
前記水栓の吐水口に第１の逆止弁を設けるとともに、前記分岐管路に前記排水管側からの空気あるいは排水の侵入を防ぐ第２の逆止弁を設け、
前記第２の逆止弁は、前記第１の逆止弁よりも低圧で開放するように設定されていることを特徴とする元止め式電気温水器用膨張水排水機構。
【発明の詳細な説明】
【技術分野】
【０００１】
本発明は、元止め式電気温水器における膨張水を排水する排水機構に関するものである。
【背景技術】
【０００２】
従来、特許文献１に開示されているように、元止め式電気温水器の吐水部と水栓とを接続する配管の途中にアスピレータを設け、アスピレータから分岐した分岐配管を排水器具の上流側に接続し、排水器具の下流側を排水管に接続した元止め式電気温水器用の排水機構が存在する。
【特許文献１】特開２００３−１３０４６９号公報
【発明の開示】
【発明が解決しようとする課題】
【０００３】
上記特許文献１の機構では、水栓から吐水する時に排水器具側から空気を吸い込んでしまうために、吐水が乱れて、吐水音が大きくなるという問題点があった。
また、元止め式であるため電気温水器の給水側にバルブが設けられており、バルブから下流側は大気開放となるため、水道水の塩素が抜けてしまい、特に、水栓に至る出湯管内に雑菌が繁殖しやすいという問題点があった。
【課題を解決するための手段】
【０００４】
本発明は上記従来の問題点に鑑み案出したものであって、吐水時に排水器具側から空気を吸い込むことがなく、また、水の中の塩素を抜けにくくして殺菌効果を保つことのできる元止め式電気温水器用膨張水排水機構を提供せんとするものであり、その請求項１は、元止め式電気温水器と水栓とを繋ぐ管路にアスピレータを設け、該アスピレータから分岐した分岐管路を排水管に接続した機構において、前記分岐管路に前記排水管側からの空気あるいは排水の侵入を防ぐ逆止弁を設けたことである。
また、請求項２は、元止め式電気温水器と水栓とを繋ぐ管路にアスピレータを設け、該アスピレータから分岐した分岐管路を排水管に接続した機構において、前記水栓の吐水口に第１の逆止弁を設けるとともに、前記分岐管路に前記排水管側からの空気あるいは排水の侵入を防ぐ第２の逆止弁を設け、前記第２の逆止弁は、前記第１の逆止弁よりも低圧で開放するように設定されていることである。
【発明の効果】
【０００５】
本発明は、元止め式電気温水器と水栓とを繋ぐ管路にアスピレータを設け、該アスピレータから分岐した分岐管路を排水管に接続した機構において、前記分岐管路に前記排水管側からの空気あるいは排水の侵入を防ぐ逆止弁を設けたことにより、水栓から吐水させる時に、逆止弁により排水管側から空気を吸い込むことがないため、吐水が乱れず、吐水音が大きくなることがない。
【０００６】
また、元止め式電気温水器と水栓とを繋ぐ管路にアスピレータを設け、該アスピレータから分岐した分岐管路を排水管に接続した機構において、前記水栓の吐水口に第１の逆止弁を設けるとともに、前記分岐管路に前記排水管側からの空気あるいは排水の侵入を防ぐ第２の逆止弁を設け、前記第２の逆止弁は、前記第１の逆止弁よりも低圧で開放するように設定されていることにより、膨張水が水栓から吐水されることがなく、良好に膨張水を排水管側へ排水させることができるものとなる。また、第１の逆止弁と第２の逆止弁により給水バルブから下流側が大気開放ではなくなるため、水の中の塩素が抜けにくくなることにより殺菌効果を保つことができ、特に出湯管内の雑菌が吐水されることがなくなる。
【実施例】
【０００７】
以下、本発明の実施例を図面に基づいて説明する。
図１は、元止め式電気温水器用の膨張水排水機構の概略配置構成図であり、水道管に接続された元栓１の下流側には、電磁バルブを内装した給水バルブ２が設けられており、この給水バルブ２の出口側には給水管３が接続され、この給水管３が電気温水器４に接続されて、給水バルブ２の開閉により、給水管３を通し電気温水器４内に水道水が供給されるように構成されている。
【０００８】
また、電気温水器４内で沸かされた湯の出口である出湯部４ａにはアスピレータ５が設けられており、アスピレータ５には出湯管６が接続され、出湯管６の下流に自動水栓７が接続されている。
また、アスピレータ５から分岐した分岐管８が設けられ、分岐管８の下流端には排水器具９が接続されており、この排水器具９内にはトラップ９ａが内装されているとともに、出口側には排水管９ｂが接続されており、膨張水を排水することができるものである。
【０００９】
前記水栓７の吐水口７ａには、例えばバネ式の第１逆止弁７ｂが設けられたものとなっており、吐水口７ａの下部に手を差し入れると、自動的に手を感知して、前記給水バルブ２が開かれて電気温水器４へ水道水が供給され、電気温水器４内のヒーターで湯が沸かされて、アスピレータ５から出湯管６を通り、吐水口７ａから湯が吐水されるように構成されている。
【００１０】
アスピレータ５の断面拡大図を図２に示し説明すると、アスピレータ５の本体５０内には、内径が縮径する縮径部５０ａが形成されており、その下流側に、出湯管６を接続する出湯管接続部５０ｂが一体形成されている。また、本体５０の出湯管接続部５０ｂの反対側には、鍔状にフランジ５０ｃが一体形成されている。
【００１１】
この本体５０内にオーリングＯを介して水密状に挿着される差込金具５１には、本体５０のフランジ５０ｃと整合されてネジ等で締め付け固定されるフランジ５１ａが形成されており、差込金具５１の内部には、前記本体５０に連通する出湯路５２が出湯部４ａと連通して設けられ、差込金具５１の下流端には、前記縮径部５０ａに臨まされてノズル部５１ｂが形成されている。また、本体５０には横方向から分岐金具５３がネジ部５３ａを介して螺合状に取り付けられており、この分岐金具５３もオーリングＯを介して水密状に本体５０に取り付けられている。
【００１２】
この分岐金具５３の先端には分岐管接続部５３ｂが形成されており、この分岐管接続部５３ｂに分岐管８が接続されるものである。分岐金具５３内に形成されている分岐路５４内には第２逆止弁５５が設けられており、第２逆止弁５５は、そのフランジ部５５ａが分岐路５４内に固定されて設けられている。
【００１３】
第２逆止弁５５はゴム製で構成されており、図３に拡大斜視図で示すような構造となっており、フランジ部５５ａから大径部５５ｂが連続して形成され、大径部５５ｂの先端に傾斜状に縮径する傾斜径部５５ｃが一体形成されており、傾斜径部５５ｃの先端に切り込み状のスリット弁孔５５ｄが形成されている。
大径部５５ｂ側から膨張水が内部に流入した時に、膨張水の水圧により傾斜径部５５ｃが図４のように拡径して、スリット弁孔５５ｄが開かれるように構成されている。
なお、この第２逆止弁５５は、前記水栓７に設けられている第１逆止弁７ｂよりも低圧で作動して、図４のように開放されるように設定されている。
【００１４】
このような構造において、水栓７の吐水口７ａからの吐水時には、吐水はノズル部５１ｂから縮径部５０ａを通過し、縮径部５０ａで流速を増して、本体５０内に負圧が生じるが、この場合に第２逆止弁５５は図３のように負圧で閉ざされた状態となり、排水器具の排水管９ｂ側から分岐管８を通り空気が巻き込まれることはない。
【００１５】
また、水栓７の吐水口７ａから吐水が始まる時に、出湯管６内には水が充満されており、即ち、第１逆止弁７ｂが閉じられた時には、出湯管６内に空気は入らないために出湯管６内は満水状態となっており、従って吐水口７ａからの吐水初期に空気が出ることはなく、また、吐水時に空気を排水器具９側から吸うこともないため、吐水音が大きくなることもない。
【００１６】
一方、水栓７が止水中において、電気温水器４内で湯を沸かす時に、膨張水が電気温水器４内のタンクからアスピレータ５へ流出してくるが、前述した如く、第１逆止弁７ｂよりも第２逆止弁５５は低圧で開放するように設定されているため、膨張水が発生した時には第２逆止弁５５のスリット弁孔５５ｄが開放されて、膨張水は分岐路５４を通り排水器具９の排水管９ｂから排水されるものとなり、良好に膨張水を排水器具９側へ排水することができるものとなる。
【００１７】
なお、従来では、給水バルブ２の下流側の給水管３，電気温水器４，出湯管６内は大気開放となっていたが、本例では第１逆止弁７ｂと第２逆止弁５５が設けられているため、給水バルブ２の下流側が大気開放ではなくなり、給水管３，電気温水器４，出湯管６内は大気開放ではないため、その中に溜まる水中の塩素が抜けにくいものとなり、塩素により良好な殺菌効果を保つことができ、特に、出湯管６内に雑菌が溜まることがなくなり、雑菌が吐水口７ａから吐水されることがなくなるものである。
【図面の簡単な説明】
【００１８】
【図１】元止め式電気温水器における膨張水排水機構の概略配置構成図である。
【図２】図１におけるアスピレータの断面拡大構成図である。
【図３】アスピレータの分岐路内に設けられる第２逆止弁の拡大斜視図である。
【図４】第２逆止弁のスリット弁孔が開放された状態の第2逆止弁の斜視構成図である。
【符号の説明】
【００１９】
２  給水バルブ
３  給水管
４  電気温水器
４ａ  出湯部
５  アスピレータ
６  出湯管
７  水栓
７ａ  吐水口
７ｂ  第1逆止弁
８  分岐管
９  排水器具
９ｂ  排水管
５０  本体
５０ａ  縮径部
５０ｂ  出湯管接続部
５１  差込金具
５１ｂ  ノズル部
５３  分岐金具
５３ｂ  分岐管接続部
５４  分岐路
５５  第２逆止弁
５５ａ  フランジ部
５５ｂ  大径部
５５ｃ  傾斜径部
５５ｄ  スリット弁孔
【図１】
2008070008.tif 000003
【図２】
2008070008.tif 000004
【図３】
2008070008.tif 000005
【図４】
2008070008.tif 000006